(57)【要約】【課題】本発明は、省エネを図るとともに、窓側の照明器具のランプ出力と窓側以外の照明器具のランプ出力とのムラを低減する照明制御システムを提供することを目的とする。【解決手段】請求項１の発明は、周囲のあかるさを検出する明るさ検出手段１と；窓側に配列される窓側照明器具２と；窓側照明器具に対して内側に配設される内側照明器具３，４と；窓側および内側照明器具に配設されたランプのランプ出力を制御する照明制御手段５と；照明制御手段における明るさ目標値を設定するとともに、照明器具に配設されたランプが明るさ目標値となるように制御している照明制御手段の調光割合のデータを収集して平均値を算出し、照明制御手段における調光制限値として設定する処理手段６と；を具備することを特徴とする。【選択図】図１
2005285479.tif 000002
【特許請求の範囲】
【請求項１】
周囲のあかるさを検出する明るさ検出手段と；
窓側に配列される窓側照明器具と；
窓側照明器具に対して内側に配設される内側照明器具と；
窓側および内側照明器具に配設されたランプのランプ出力を制御する照明制御手段と；
照明制御手段における明るさ目標値を設定するとともに、照明器具に配設されたランプが明るさ目標値となるように制御している照明制御手段の調光割合のデータを収集して平均値を算出し、照明制御手段における調光制限値として設定する処理手段と；
を具備することを特徴とする照明制御システム。
【請求項２】
前記調光制限値は、平均値±１５〜２５％であることを特徴とする請求項１記載の照明制御システム。
【請求項３】
前記処理手段は、各照明制御手段に対して照明器具のグループ化をすることができることを特徴とする請求項１記載の照明制御システム。
【請求項４】
前記照明器具は、照明制御手段を搭載していることを特徴とする請求項１記載の照明制御システム。
【発明の詳細な説明】
【技術分野】
【０００１】
本発明は、照明制御システムに関する。
【背景技術】
【０００２】
従来の照明装置の構成について、図２に示すように照明器具１は窓際から屋内に向かって順次配列されるように天井に設けてある。各照明器具１は光源３と、光源３を点灯制御する調光点灯装置４とスタータＳとを備え、また窓際に配置する１列目の照明器具１は当該照明器具１に対応した被照射面の反射光量を検知し、その反射光量を電圧レベルに変換する光検知部７を設けてある。光検知部７からの反射光量に対応する電圧信号により反射光量を判定する。
【０００３】
制御部５は、光検知部７で検知される１列目の照明器具の反射光量と各列の照明器具に対応する被照射面の照度との相関データ等を予め記憶したＲＯＭのような記憶部６をデータバスを通じてデータ端子ＤＡＴＡに接続し、また各列の照明器具に対して調光信号をトランジスタＱを通じて調光点灯装置４へ出力する出力ポートＰＷＭを備えている。
【０００４】
調光点灯装置４は上記制御部５からＰＷＭ形式の調光信号のオンデュティ比率に応じた調光レベルで光源３の光出力を制御するようになっている。
【０００５】
制御部５は昼光等の外光Ｈによる反射光量の増減に連動して１ないし３列目の照明器具に対して与える調光信号のオンデュティの比率を変える。反射光量が０Ｖの場合には１００％の調光レベルの調光信号を、また反射光量が５Ｖの場合には０％の調光レベルの調光信号を、さらに３Ｖの反射光量では５５％の調光レベルの調光信号を与えている。１列目照明器具の被照射面の反射光量に対して各列照明器具の被照射面の反射光量データと、反射光量に対していくらの調光レベルの調光信号を与えるべきかの調光データを予め格納している。
【０００６】
まず、制御部５は動作を開始すると、１列目の照明器具に対応して設けた光検知部７で検知される被照射面の反射光量を取り込み、その値に基づいて２列目以降の照明器具の被照射面に対応する反射光量を記憶部６より読み出す。さらに制御部５は検知した１列目の照明器具の被照射面に対応する反射光量及び記憶部６より読み出した２列目以降の照明器具の被照射面に対応する反射光量に基づいて照明器具の被照射面の照度を所定照度に保持するための調光データを更に記憶部６より読み出し、この読み出した調光データに基づいた調光信号を各列の照明器具に対応する出力ポートＰＷＭから出力する。
【０００７】
調光信号を受けた照明器具では調光点灯装置４により光源３の光出力を制御して夫々の照明器具の被照射面での照度を例えば７５０（ｌｘ）に保持する。このように昼光等の外光Ｈの入光量に連動して各列の照明器具を適切な照度に保つことができるというものである。（特許文献１）
【特許文献１】特開平８−１９５２８３号公報（第３頁、図１、）
【発明の開示】
【発明が解決しようとする課題】
【０００８】
従来の照明制御装置において、オフィスなどの屋内において照明器具を窓側から奥側に向けて順次配列設置した環境で、各配列またはエリアごとに照明制御装置を用いて照明器具の光量を制御する場合では、窓際に設置された照明制御装置に接続される照明器具のランプ出力は、外光の入射の程度に応じて深い調光度となるため、外光の届かない２列目以降とのランプ出力に差が発生し、ランプの出力にムラが発生する。
【０００９】
そこで、予め窓際のランプの調光できる範囲を制限して２列目以降のランプ出力とのムラを低減させる方法があるが、ムラを低減するために下限値を高めに設定する場合が多く、本来の目的である省エネ効果が薄れてしまうという問題が発生する。
【００１０】
本発明は、省エネを図るとともに、窓側の照明器具のランプ出力と窓側以外の照明器具のランプ出力とのムラを低減する照明制御システムを提供することを目的とする。
【課題を解決するための手段】
【００１１】
請求項１の発明は、周囲のあかるさを検出する明るさ検出手段と；窓側に配列される窓側照明器具と；窓側照明器具に対して内側に配設される内側照明器具と；窓側および内側照明器具に配設されたランプのランプ出力を制御する照明制御手段と；照明制御手段における明るさ目標値を設定するとともに、照明器具に配設されたランプが明るさ目標値となるように制御している照明制御手段の調光割合のデータを収集して平均値を算出し、照明制御手段における調光制限値として設定する処理手段と；を具備することを特徴とする。
【００１２】
窓側照明器具は、窓側の１列目または１列目および２列目くらいまでに配列される照明器具をいう。内側照明器具は、窓側照明器具以外の照明器具であって窓側照明器具を１列目とした場合には、２列目、３列目等室内側に配設される照明器具を内側照明器具という。また、窓側照明器具を１および２列目とした場合には、３列目以降の室内側に配設される照明器具を内側照明器具という。いずれの照明器具も通常、複数台設置される。
【００１３】
照明制御手段は、照明器具の中に配置されていてもよいし、独立した別体で配設されてもよい。また、調光制限値は算出された平均値をそのまま制限値としてもよいし、この平均値に幅を持たせて制限値としてもよい。例えば、平均値が７０％であった場合には、調光制限値を±２０％として５０％〜９０％としてもよい。また、処理手段は、１つの照明制御手段のみに配設されてもよいし、各照明制御手段に配設されてもよい。
【００１４】
請求項２の発明は、請求項１記載の照明制御システムにおいて、調光制限値は、平均値±１５〜２５％であることを特徴とする。すなわち、平均値が６０％であり、調光制限値を決める際の幅を±１５〜２５％のうち、±１０％を選定した場合には、調光制限値は、５０％〜７０％となる。したがって、照明器具はこの範囲で調光制御されることになる。
【００１５】
請求項３の発明は、請求項１記載の照明制御システムにおいて、処理手段は、各照明制御手段に対して照明器具のグループ化をすることができることを特徴とする。例えば、複数の窓側照明器具をひとつのグループとして、第１の照明制御手段が制御し、また、複数の内側照明器具をひとつのグループとして、第２の照明制御手段が制御し、また、複数の別な内側照明器具をひとつのグループとして、第３の照明制御手段が制御する、というようにできるものである。
【００１６】
請求項４の発明は、請求項１記載の照明制御システムにおいて、照明器具は、照明制御手段を搭載していることを特徴とする。
【発明の効果】
【００１７】
請求項１ないし４の発明では、各照明制御手段の調光割合のデータを収集して平均値を算出し、各照明制御手段における調光制限値として設定するため、省エネを図るとともに窓側と内側の照明器具のランプ出力とのムラを低減することができる。
【発明を実施するための最良の形態】
【００１８】
以下、本発明の一実施の形態の照明制御システムについて図面を参照して説明する。図１は本発明の一実施の形態を示す照明制御システムの概念図である。
【００１９】
照明制御システムは、周囲のあかるさを検出する明るさ検出手段１ａ，１ｂ，１ｃと、窓際に配列される窓側照明器具２と、３列目以降に配設される内側照明器具３，４と、複数の照明制御手段５ａ，５ｂ，５ｃと、処理手段６ａ，６ｂ，６ｃとを具備して構成されている。
【００２０】
明るさ検出手段１ａ，１ｂ，１ｃは、窓側照明器具２や内側照明器具３，４が照射する被照射面の反射光量を検知し、その反射光量を電圧レベルに変換し、周囲の明るさを電圧レベルで検出することができる。なお、明るさ検出手段１ａは、窓側から２ｍ以上離して設置する。外光の影響の程度を低減するためである。
【００２１】
窓側照明器具２は、例えばオフィスの窓際に配列される１および２列目の照明器具である。また、内側照明器具３，４は、３および４列目以降に配設されるものである。いずれの照明器具にも、ランプとして例えば蛍光ランプがソケットに装着され、電子安定器（インバータ、図示しない。）で点灯される。
【００２２】
このインバータは、一対のスイッチング素子により直流電圧を高周波でスイッチングして高周波交流電圧をランプに出力するものであり、スイッチング周波数を変化させることによりランプに出力する電力を変更してランプの明るさを変更することができるものである。通常、省エネを図るためにランプの定格光出力の７０％となるような調光割合になるように上記インバータのスイッチング周波数が制御されている。
【００２３】
照明制御手段５ａ，５ｂ，５ｃは、窓側照明器具２および内側照明器具３，４に配設されたランプのランプ出力を制御する。例えば第１の照明制御手段５ａは、複数台の窓側照明器具２をひとまとめにグループ化して、該当するランプのランプ出力を制御する。第２の照明制御手段５ｂは、内側照明器具としての複数台の３および４列目照明器具をひとまとめにグループ化して、該当するランプのランプ出力を制御する。さらにまた、第３の照明制御手段５ｃは、別の内側照明器具４としての複数台の３および４列目照明器具をひとまとめにグループ化して、該当するランプのランプ出力を制御する。
【００２４】
上記いずれの場合にも、明るさ検出手段１ａ，１ｂ，１ｃで検出した周囲の明るさと明るさ目標値とを比較して明るさ目標値になるように調光割合を決定してインバータの出力周波数を制御してランプ出力を制御している。
【００２５】
また、照明制御手段５ａ，５ｂ，５ｃの設定される明るさ目標値は、通信部を介して中央制御装置（図示しない。）との間で信号の送受信による設定される。照明制御手段５ａ，５ｂ，５ｃは照明器具２，３，４に搭載されていてもよいし、別体であってもよい。
【００２６】
処理手段６ａは、他の処理手段６ｂ，６ｃを代表して、窓側および内側照明器具２，３，４に配設されたそれぞれのランプの明るさ目標値となるように制御している各照明制御手段５ａ，５ｂ，５ｃの調光割合のデータを収集する。
【００２７】
そして、例えば、窓側照明器具２を制御する第１の照明制御手段５ａが５０％の調光割合で制御しており、また内側照明器具３を制御する第２の照明制御手段５ｂが６０％の調光割合で制御しており、さらに内側照明器具４を制御する第３の照明制御手段５ｃが７０％の調光割合で制御している場合においては、その平均値を６０％と算出する。そして、調光範囲は、平均値に対して±15〜25％の範囲のうち、±１５％とする場合、すなわち、４５％〜７５％とし、各照明制御手段５ａ，５ｂ，５ｃにおける調光制限値として設定する。この場合、各照明制御手段５ａ，５ｂ，５ｃによって±15〜25％の間でその値を異ならせることができる。そうすると、窓側、室内側および最も室内側の照明器具について、その調光割合を適切に設定することができる。また、処理手段６ａは、各照明制御手段５ａ，５ｂ，５ｃのグループ割り当てを行うこともできる。
【図面の簡単な説明】
【００２８】
【図１】本発明の一実施の形態を示す照明制御システムの概念図。
【図２】従来の照明制御システムの構成図。
【符号の説明】
【００２９】
１…明るさ検出手段、２…窓側照明器具、３，４…内側照明器具、５ａ，５ｂ，５ｃ…照明制御手段、６ａ，６ｂ，６ｃ…処理手段。
【図１】
2005285479.tif 000003
【図２】
2005285479.tif 000004